(57)【要約】【課題】本発明は、ハサミにおいて幼児や障害者等でも安心して便利に使える事と、うっかりしまい忘れる等による幼児等の危険性を回避する為の安全なハサミで有ると共に便利なハサミを提供することを目的とする。【解決手段】ハサミの両刃に保護カバーを覆い被せ、被切断物を切断する隙間部を設けると共に、隙間を通りすぎる被切断物をスムーズに送るガイド部を設け、メガネ部根元に切断後の被切断物が当たらない構造とする。また、保護カバーの先端で被切断物を挟み押さえ被切断物を目標に合わせ真っ直ぐに切れるようにした。また、保護カバーは２つの保護カバー片を組み合わせる事により成形しやすい構造とした。【選択図】図３
2004154206.tif 000002
【特許請求の範囲】
【請求項１】
ハサミの両刃の部分を覆う略袋状の保護カバーをハサミの駆軸及び駆軸付近に取付部を形成しハサミと組合せ取り付け、該保護カバーに被切断物を挿入可能な隙間を設けた隙間部を有する保護カバー付きのハサミ
【請求項２】
前項記載のハサミにおいて、保護カバーの隙間部の延長上に曲線状のガイド部を設け、切断後の被切断物を導きハサミのメガネ部の縁を回避するようにした保護カバー付きハサミ
【請求項３】
前項記載のハサミにおいて、駆軸からハサミのメガネ部側付近側での取付部の位置関係において、ハサミの駆軸に対し刃と反対側の根本付近の柄部が刃の先端交差位置付近で保護カバーの取付部、又は取付部付近に当たりハサミの刃部が対峙する相手の保護カバー側に入り込む量を制限した保護カバー付きハサミ
【請求項４】
前項記載のハサミにおいて両保護カバー片の取り付け部を可動可能とし取り付け駆軸に対し被切断挿入先端と対す側にバネ取り付け部を設けると共に、バネを設け、バネが両保護カバー片を広げ少なくとも駆軸に対する被切断物挿入先端の隙間部を閉じるようにした保護カバー付きハサミ
【発明の詳細な説明】
【０００１】
【発明の属する分野】
本発明は、主に紙や布や糸などを切るハサミに関するものであり、幼児を含めた子供たちから老人までが使用し、保育園、一般家庭、事務所等で工作、裁縫、事務処理等に使用されるものである。
【０００２】
【従来の技術】
従来のハサミは刃が露出しているものが多く、使用後安全のためカバーをかけられるものや、刃先を丸めたり刃の角度を鈍角にした物が有る。また、釣り糸等を切るハサミとして全体に保護カバーをかけたものがある。また、刃の隙間を設ける為に片側に保護カバーを形成したものも考えられている。
【０００３】
【解決しようとする課題】
使用後安全カバーをかけるのは面倒であり、安全カバーを紛失することもある、全体を保護カバー内に入れたハサミは安全では有るが糸等を切るのが主であり、紙や大き目な材料は切りにくく力も入らない。刃の隙間を設ける為に片側に保護カバーを形成したものは両刃が露出したハサミより安全であり刃の間に挟み怪我をする事も回避できるが刃面に指を滑らす事により怪我をすることもあり得る。また、露出側の刃の背金属で叩く等の危険性や、刃の背側の金属でテーブル等を擦り傷付ける事もある。また、先端を幼児等がねじり広げるてしまい、指を挟める事も考えらる。また、誤って踏んでしまった等による怪我も考えられる。一般にハサミの刃の露出により使用者が危険な状態にあると共に、例えば誤って放置した事により幼児等が怪我をする事が有る。カバーをかけ忘れた、ちょっと目を離した等により事故になる事もあり得る。また、刃の背が露出していることにより背の金属で露出側の背の金属で叩く等の危険性や、背側の金属でテーブル等を擦り傷付ける事もある。本発明は使用時にも、放置しても怪我をする事が無く、誤って叩いたり、周囲のものを傷つけたりする事が無く、安全で使いやすいハサミを提供しようとするものである。
【０００４】
【課題を解決するための手段】
請求項１の本発明は、ハサミの両刃の部分を覆う略袋状の保護カバーをハサミの駆軸及び駆軸付近に取付部を形成しハサミと組合せ取り付け、該保護カバーに被切断物を挿入可能な隙間を設けた隙間部を有するものである。
【０００５】
請求項２の本発明は、前項記載のハサミにおいて、保護カバーの隙間部の延長上に曲線状のガイド部を設け、切断後の被切断物を導きハサミのメガネ部の縁を回避するようにしたものである。
【０００６】
請求項３の本発明は、前項記載のハサミにおいて、駆軸からハサミのメガネ部側付近側での取付部の位置関係において、ハサミの駆軸に対し刃と反対側の根本付近の柄部が刃の先端交差位置付近で保護カバーの取付部、又は取付部付近に当たりハサミの刃部が対峙する相手の保護カバー側に入り込む量を制限したものである。
【０００７】
請求項４の本発明は、前項記載のハサミにおいて両保護カバー片の取り付け部を可動可能とし取り付け駆軸に対し被切断挿入先端と対す側にバネ取り付け部を設けると共に、バネを設け、バネが両保護カバー片を広げ少なくとも駆軸に対する被切断物挿入先端の隙間部を閉じるようにしたものである。
【０００８】
【実施例】
以下、本発明のハサミの実施例を図面により具体的に説明する。図１、図１１に示すハサミ本体１は主に刃２とメガネ部９と柄部２５で構成される２つのハサミ片２を対峙させ駆軸５でハサミ片２を図９で示すハサミ取付具１４でカシメて軸駆動固定し略袋状の図１では保護カバー片４を、図１１では保護カバー１１ｂを各ハサミ片２の刃３を覆う形で被せ駆軸５で保護カバー片４、または、保護カバー１１ｂの取付穴２１を図９で示す保護カバー取付具１３でカシメ軸固定すると共に保護カバー片４、または、保護カバー１１ｂを取付部６で固定する。また、両ハサミ片２のメガネ部９を駆軸５を中心に互いに離し開いた状態を示す。これにより、刃３の先端は開いた状態になる。
【０００９】
図２は図１のメガネ部９を接近させ、駆軸５を中心に刃３の先端を閉じた状態を示す。保護カバー片４はハサミ片２と組み合わされた状態で保護カバー１１を形成し、保護カバーは２ｍｍから３ｍｍ程度の隙間を持つ隙間部７を形成する。隙間部７は図示しないが指等が入りにくいように周囲に土手状のガードを用いても良い。また、刃３先端が対峙する相手側の保護カバー片４に入り込みを制限するために柄部２５内面が取付部６の周囲に当たる構造とする。これにより、各刃３は常にお互いがお互いの保護カバー片４内に収まる事になり、各刃３が各保護カバー片４の芯の役割を果たし、保護カバー１１の先端が捻れ等による外圧等で隙間部４が開くことが無い様になる。
【００１０】
図３は隙間部７に紙１２を入れ切断を行った状態を示す。紙１２は隙間部７を通り切断された後切断後紙１２ｂは図３上方に湾曲したガイド部８を通過するものである。また、隙間部７は切断後紙１２ｂが保護カバー１１内に巻き込まれない様に、刃３を完全に閉じた状態で刃先ライン２３が保護カバー１１の隙間部７の外周２２と紙１２（被切断物）厚分の隙間を持たせた形状とする。このため隙間部７が拡がる傾向にあるため図示しないが刃３の刃先ライン２３を凹形状の曲面としても良い。
【００１１】
図４は保護カバー片４を駆軸５を中心に少量可動可能とする為に取付部６の可動穴１６を横長穴とし、保護カバー取付具１３ａの軸部に隙間を持たせ、保護カバー片４ａが駆軸５を中心に可動する様にしたものであり、保護カバー片４ａはバネ取付部２０にバネ１０を設けバネの両端は各保護カバー片４ａのバネ掛け部に掛けバネ１０は駆軸５を中心に両保護カバー片４ａのバネ掛け部１５を開かせるものであり、これにより駆軸５と反対側の隙間部先端７ａは閉じた状態となる。
【００１２】
図４に示すようにメガネ部９を広げると、刃の背３ａが保護カバー片４ａの内面を押し、両保護カバー１１ａの隙間部先端７ａを押し広げた状態となる。この状態で紙１２ａ（被切断物）を隙間部７に入れ両メガネ部９の開きを少なくすると図４に示すように隙間部先端７ａが閉じるものである。この状態で紙１２ａが押さえられ紙１２ａが固定されるものである。図６に示すように保護カバー片４ａは同一形状又は、略同一形状となる。図７に示すように保護カバー片４は略袋状とし、刃を覆う形を示す。図８で示すように取付部６は保護カバー取付具１３ａで保護カバー片４を係留取付している。
【００１３】
図９で示すように駆軸５はハサミ片２をハサミ取付具１４で軸取付、保護カバー片４を保護カバー取付具１３で軸取付している。図１０はハサミ本体１が下駄部１７によりテーブル１８とメガネ部９との隙間に指１９で拾い上げる拾い上げ隙間２６を示し、（ａ）は保護カバー１１とメガネ部９に下駄部１７を設けたものであり、（ｂ）はメガネ部９の先端付近を膨らませ、下駄部１７を形成したものを示す。
【００１４】
ここでの保護カバー片４は透明プラスチック材を想定しているが、不透明、半透明、色つきのプラスチック材（ＡＢＳ、ポリプロピレン、ＰＥＴ等）やエラストマー等の弾力材等を使用や併用しても良い。また、ここでのバネ１０は金属製の板バネを想定しているが、コイルバネや、プラスチック材の弾力を利用をしても良いものである。また、ハサミ取付具１４ハトメ状の金属を使用しているがネジ状の留め具を使用しても良い。また、保護カバー取付具１３はカシメにより行っているが、ネジ類や接着剤で固定しても、はめ込みによる方法でも良い。
【００１５】
【発明の効果】
本発明は前述の構成のように、保護カバーの付いた安全なハサミであり、幼児に手渡すことも可能であり、小さい頃からハサミを使用する教育が可能である。また、単に安全だけでは無く、大人が使用しうっかりしまい忘れた等から発生する危険性もないため、幼い幼児や、障害者、老人のいる家庭でも心配が減る事になり、誰にでも安全で使いやすいユニバーサルデザインのハサミともいえ、現代社会でのストレスを軽減する事にも役立つ事と考えられる。また、保護カバーを用いたことにより危険が回避され、刃を鋭くすることが可能となりより切れ味の良いハサミとする事が可能である。また、被切断物を保護カバー先端で押さえる機構により誰しもがまっすぐに切断することが可能になる。また、メガネ部が平面に置いた時に宙に浮いた位置に有るため誰しもがハサミを拾いやすく、作業性が向上する。
【００１６】
【図面の簡単な説明】
【図１】本発明の実施例で両ハサミ片を開いた状態の平面図である。
【図２】本発明の実施例図１の両ハサミ片を閉じた状態の平面図である。
【図３】本発明の実施例の紙の軌道を示す説明図である。
【図４】本発明の他の実施例の両ハサミ片を開いた状態の平面図である。
【図５】本発明の他の実施例図４の両ハサミ片を閉じかけた状態の平面図である。
【図６】本発明の他の実施例の保護カバー片の形状を示す平面図である。
【図７】本発明の実施例図２のＡ−Ａ断面図である。
【図８】本発明の駆軸実施例の概略説明断面図である。
【図９】本発明の取付部実施例の概略断面図である。
【図１０】本発明の実施例を平面上に置いた状態の概略図である。
【図１１】本発明の他の実施例で両ハサミ片を開いた状態の平面図である。
【００１７】
【符号の説明】
１…ハサミ本体
２…ハサミ片
３…刃
３ａ…刃の背
４…保護カバー片
４ａ…保護カバー片
５…駆軸
６…取付部
７…隙間部
７ａ…隙間部先端
７ｂ…押さえ部
８…ガイド部
９…メガネ部
１０…バネ
１１…保護カバー
１１ａ…保護カバー
１１ｂ…保護カバー
１２…紙
１２ａ…紙
１２ｂ…切断後紙
１３…保護カバー取付具
１３ａ…保護カバー取付具
１４…ハサミ片取付具
１５…バネ掛け部
１６…可動穴
１７…下駄部
１８…テーブル
１９…指
２０…バネ取付部
２１…取付穴
２２…隙間部外周
２３…刃先ライン
２４…逃げ隙間
２５…柄部
２６…拾い上げ隙間
【図１】
2004154206.tif 000003
【図２】
2004154206.tif 000004
【図３】
2004154206.tif 000005
【図４】
2004154206.tif 000006
【図５】
2004154206.tif 000007
【図６】
2004154206.tif 000008
【図７】
2004154206.tif 000009
【図８】
2004154206.tif 000010
【図９】
2004154206.tif 000011
【図１０】
2004154206.tif 000012
【図１１】
2004154206.tif 000013